(57)【要約】【課題】  内燃機関からの排気ガス経路中に，上流側と下流側とに開口するように延びる細い排気ガス通路の多数本を備えた触媒体２を設けて成る排気ガス浄化装置において，前記触媒体における内燃機関の始動に際しての温度上昇を促進する。【解決手段】  前記触媒体２の内部に，空洞７を，上流側から下流側に延びるように設けて，この空洞を，前記触媒体の上流側一端面２ａにおいて開口し，前記触媒体の下流側他端面２ｂにおいて閉塞する一方，前記空洞内に，その内部を第１通路７ａと第２通路７ｂとに区画する仕切り板８を軸線方向に延びるように設け，この第１通路と第２通路を，前記触媒体の下流側他端面２ｂに隣接する部分において互いに連通する一方，前記内燃機関から前記触媒体への排気ガスのうち少なくとも一部を，前記触媒体の上流側一端面２ａにおいて第１通路及び第２通路のうち一方の通路７ａに流入するように構成する。【選択図】                          図１
2006329126.tif 000002
【特許請求の範囲】
【請求項１】
内燃機関からの排気ガス経路中に，その上流側と下流側とに開口するように延びる細い排気ガス通路の多数本を備えた触媒体を設けて成る排気ガス浄化装置において，
前記触媒体の内部に，空洞を，軸線方向に延びるように設けて，この空洞を，前記触媒体の上流側一端面において開口し，前記触媒体の下流側他端面において閉塞する一方，前記空洞内を，その軸線方向に延びる仕切り板を設けて，第１通路と第２通路とに区画し，この第１通路及び第２通路を，前記触媒体の下流側他端面に隣接する部分において互いに連通する一方，前記内燃機関から前記触媒体への排気ガスのうち少なくとも一部を，前記触媒体の上流側一端面において第１通路及び第２通路のうち一方の通路に流入するように構成したことを特徴とする内燃機関における触媒式排気ガス浄化装置。
【発明の詳細な説明】
【技術分野】
【０００１】
本発明は，内燃機関からの排気ガス経路中に設けられ，排気ガスを触媒の作用によって浄化処理するための装置に関するものである。
【背景技術】
【０００２】
一般に，この種の排気ガス浄化装置に使用される触媒体は，従来から良く知られているように，円柱形又は楕円柱形等の柱形にして，この柱形にした触媒体に，排気ガス経路における上流側と下流側とに開口するように軸線方向に延びる細い排気ガス通路を多数本設けて，内燃機関から排出される排気ガスを，この触媒体における一端面から前記各細い排気ガス通路内に導入して，当該細い排気ガス通路内を通過させることにより，その間において，浄化処理を行うように構成している。
【０００３】
この場合において，前記触媒体における浄化処理は，その温度が低い状態では行われないことにより，内燃機関の始動に際しては，前記触媒体における温度を可及的速やかに上昇する必要がある。
【０００４】
そこで，先行技術としての特許文献１は，前記柱状形にした触媒体に対して，排気ガスが流れるチャンバーを，前記触媒体の外側の全体を囲うように設けて，前記触媒体をその外側からも加熱することによって，前記触媒体における内燃機関の始動時に際しての急速な温度上昇を図ることを提案している。
【０００５】
また，別の先行技術としての特許文献２は，前記柱状形にした触媒体を，その内部に，当該触媒体のうち排気ガスの流れに対して上流側における一端面のみに開口する空洞を設けて成る中空体にし，内燃機関からの排気ガスを，先ず，前記空洞内に導入し，次いで，前記触媒体における各細い排気ガス通路内に導入するようにように構成して，前記触媒体を，その内部の空洞からも加熱することによって，前記触媒体における内燃機関の始動時に際しての急速な温度上昇を図ることを提案している。
【特許文献１】特開２００２−３０９９３１号公報
【特許文献２】実開平７−２５２１２号公報
【発明の開示】
【発明が解決しようとする課題】
【０００６】
しかし，前記特許文献１のように，触媒体の外側の全体を排気ガスチャンバーにて囲うことは，構造が複雑になるばかりか，浄化装置の全体が大幅に大型化し，しかも，重量も大幅に増加するという問題があった。
【０００７】
一方，前記特許文献２に記載の構成において，触媒体の内部における空洞は，前記触媒体のうち排気ガスの流れに対して下流側の他端面において塞いだ構造にし，この空洞内に，前記触媒体のうち上流側の一端面における開口部から排気ガスを吹き込むという形態であることにより，この空洞内のうち閉塞した下流側の他端面に近い部分は，排気ガスの流動が殆どない淀んだ状態になっているから，前記触媒体における内部からの加熱は弱くなり，ひいては，前記触媒体における温度上昇の効果が低くなり，換言すると，温度上昇の効果を十分に達成することができないという問題があった。
【０００８】
本発明は，これらの問題を解消した触媒式の排気ガス浄化装置を提供することを技術的課題とするものである。
【課題を解決するための手段】
【０００９】
この技術的課題を達成する本発明は，
「内燃機関からの排気ガス経路中に，その上流側と下流側とに開口するように延びる細い排気ガス通路の多数本を備えた触媒体を設けて成る排気ガス浄化装置において，
前記触媒体の内部に，空洞を，軸線方向に延びるように設けて，この空洞を，前記触媒体の上流側一端面において開口し，前記触媒体の下流側他端面において閉塞する一方，前記空洞内を，その軸線方向に延びる仕切り板を設けて，第１通路と第２通路とに区画し，この第１通路及び第２通路を，前記触媒体の下流側他端面に隣接する部分において互いに連通する一方，前記内燃機関から前記触媒体への排気ガスのうち少なくとも一部を，前記触媒体の上流側一端面において第１通路及び第２通路のうち一方の通路に流入するように構成した。」
ことを特徴としている。
【発明の効果】
【００１０】
このように構成することにより，内燃機関からの排気ガスの一部は，触媒体の上流側一端面において，この触媒体における空洞内に仕切り板にて形成した第１通路及び第２通路のうち一方の通路内に流入し，この一方の通路内を軸線方向に流れたのち，前記触媒体の下流側他端面に隣接する部分において，当該一方の通路から他方の通路内に流入し，この他方の通路内を軸線方向に流れ，そして，前記触媒体の上流側一端面において，他の排気ガスと一緒に，この触媒体における多数本の細い排気ガス通路を通過することになる。
【００１１】
これにより，前記触媒体における空洞内に，その略全長にわたって排気ガスを確実に流動させることができ，換言すると，前記触媒体を，これに設けた空洞における内面の全体から広い面積で加熱することができるから，内燃機関の始動の際における触媒体の温度上昇を，浄化装置における構造の複雑化，大型化及び重量の大幅なアップを招来することなく，著しく促進することができる。
【００１２】
この場合，前記第１通路及び第２通路のうち一方又は両方を，複数の通路に区画するという構成にできる。
【発明を実施するための最良の形態】
【００１３】
以下，本発明の実施の形態を，図１及び図２の図面について説明する。
【００１４】
この図において，符号１は，排気ガス浄化装置における触媒ケースを示し，この触媒ケース１は，触媒体２を収容した本体ケース３と，これに着脱自在に装着される蓋体４とによって構成されている。
【００１５】
前記蓋体４の上面には，図示しない内燃機関からの排気ガス入口管５が，前記本体ケース３の下端には，排気ガス出口管６が各々接続されている。
【００１６】
前記触媒体２は，円柱形又は楕円柱形等のように柱形であり，この触媒体２には，図示していないが，その軸線方向に延びて，当該触媒体２のうち排気ガスの流れに対して上流側における一端面２ａと下流側の他端面２ｂとに開口する細い排気ガス通路の多数本が設けられ，排気ガスが，この各細い排気ガス通路内を，一端面２ａから他端面２ｂに向かって流れるときに，排気ガスを浄化処理するように構成している。
【００１７】
前記触媒体２のうち中心の部位又はその近傍の部位には，空洞７が，触媒体２における軸線方向に延びるように設けられている。
【００１８】
この空洞７を，前記触媒体２の上流側一端面２ａにおいて開口し，前記触媒体２の下流側他端面２ｂにおいて底板８にて閉塞する。
【００１９】
更に，前記空洞７内には，その軸線方向に延びる仕切り板９を設けて，前記空洞７内を，その全長にわたって軸線方向に延びる第１通路７ａと，第２通路７ｂに区画し，この第１通路７ａ及び第２通路７ｂを，前記触媒体２の下流側他端面２ｂにおける底板８に隣接する部分において，仕切り板９と底板８との間の隙間通路１０を設けることによって互いに連通するか，前記仕切り板９に通孔を穿設することによって互いに連通する。
【００２０】
一方，前記蓋体４における排気ガス入口管５を，その軸線が前記触媒体２の空洞７における両通路７ａ，７ｂのうち第１通路７ａに向かうように傾斜するという構成にする。
【００２１】
この構成において，内燃機関からの排気ガスは，前記排気ガス入口管５より蓋体４内に流入する。
【００２２】
この排気ガスの一部が，触媒体２の上流側一端面２ａにおいて，前記触媒体２の空洞７における第１通路７ａ及び第２通路７ｂのうち第１通路７ａに向かうことにより，この第１の通路７ａ内に流入し，この第１通路７ａ内を軸線方向に流れたのち，前記触媒体２の下流側他端面２ｂに隣接する部分において，当該第１通路７ａから第２通路７ｂ内に流入し，この第２通路７ｂ内を軸線方向に流れ，そして，前記触媒体２の上流側一端面２ａにおいて，他の排気ガスと一緒に，この触媒体２における多数本の細い排気ガス通路を通過することになる。
【００２３】
従って，前記第１通路７ａが，排気数ガスの往路になり，第２通路７ｂが排気ガスの復路になるという構成になる。
【００２４】
この場合において，前記第１通路７ａ及び前記第２通路７ｂのうちいずれか一方又は両方を，その内部に軸線方向に延びるように仕切り板を設けることによって，複数個の通路に区画するという構成にすることができる。
【００２５】
これにより，前記触媒体２における空洞７内に，その略全長にわたって排気ガスを確実に流動させることができるから，前記触媒体２を，これに設けた空洞７における内面の全体から広い面積で加熱することができる。
【００２６】
なお，排気ガス入口管５よりの排気ガスの一部を，前記空洞７における第１通路７ａ及び第２通路のうち第１通路７ａに導入するには，前記排気ガス入口管５を，その軸線が前記一方の通路７ａに向かうように傾斜することに限らず，前記排気ガス入口管５の軸線を触媒体２の軸線と平行又は略平行にして，この排気ガス入口管５を，図１に二点鎖線で示すように，偏芯した部位に設けることによって，排気ガスの一部を前記第１通路７ａに導入するように構成しても良いのである。
【図面の簡単な説明】
【００２７】
【図１】本発明の実施の形態を示す縦断正面図である。
【図２】図１のII−II視平断面図である。
【符号の説明】
【００２８】
１                        触媒ケース
２                        触媒体
２ａ                      上流側一端面
２ｂ                      下流側他端面
３                        本体ケース
４                        蓋体
５                        排気ガス入口管
６                        排気ガス出口管
７                        空洞
７ａ                      第１通路
７ｂ                      第２通路
８                        底板
９                        仕切り板
１０                      隙間通路
【図１】
2006329126.tif 000003
【図２】
2006329126.tif 000004